(57)【要約】【課題】天井の開口部から落下した異物が床面に付着することを抑制することができる天井作業用養生装置を得る。【解決手段】天井１に形成された開口部１１を下方から塞ぐ天井作業用養生装置であって、天井１に設けられ、開口部１１から下方に延びた領域７を囲む側壁部５と、開口部１１に対向するように側壁部５に設けられ、側壁部５とともに開口部１１を下方から塞ぐ底面部６とを備え、底面部６には、作業者が進入可能な貫通孔が形成されており、側壁部６は、内部に窒素が出し入れ可能な風船から構成されており、内部に窒素が出し入れされることによって高さ方向について伸縮する。【選択図】図１
2014118713.tif 000002
【特許請求の範囲】
【請求項１】
天井に形成された開口部を下方から塞ぐ天井作業用養生装置であって、
前記天井に設けられ、前記開口部から下方に延びた領域を囲む側壁部と、
前記開口部に対向するように前記側壁部に設けられ、前記側壁部とともに前記開口部を下方から塞ぐ底面部と
を備え、
前記底面部には、作業者が進入可能な貫通孔が形成されていることを特徴とする天井作業用養生装置。
【請求項２】
前記側壁部は、内部に気体が出し入れ可能な風船から構成されており、内部に気体が出し入れされることによって高さ方向について伸縮することを特徴とする請求項１に記載の天井作業用養生装置。
【発明の詳細な説明】
【技術分野】
【０００１】
この発明は、天井に取り付けられる天井作業用養生装置に関する。
【背景技術】
【０００２】
従来、天井に設けられ、天井に形成された開口部から下方に延びた領域を囲むシート部材を備えた天井作業用養生装置が知られている。シート部材は、天井から床面まで延びて形成されている。天井に設けられた空調室内機に関する作業を行う際に開口部から落下した埃などの異物は、天井作業用養生装置によって、室内に拡散することが抑制される（例えば、特許文献１参照）。
【先行技術文献】
【特許文献】
【０００３】
【特許文献１】特開２０１１−２３６６２６号公報
【発明の概要】
【発明が解決しようとする課題】
【０００４】
しかしながら、天井の開口部から落下した埃などの異物は、床面に付着してしまうという問題点があった。
【０００５】
この発明は、天井の開口部から落下した異物が床面に付着することを抑制することができる天井作業用養生装置を提供するものである。
【課題を解決するための手段】
【０００６】
この発明に係る天井作業用養生装置は、天井に形成された開口部を下方から塞ぐ天井作業用養生装置であって、天井に設けられ、開口部から下方に延びた領域を囲む側壁部と、開口部に対向するように側壁部に設けられ、側壁部とともに開口部を下方から塞ぐ底面部とを備え、底面部には、作業者が進入可能な貫通孔が形成されている。
【発明の効果】
【０００７】
この発明に係る天井作業用養生装置によれば、天井に設けられ、開口部から下方に延びた領域を囲む側壁部と、開口部に対向するように側壁部に設けられ、側壁部とともに開口部を下方から塞ぐ底面部とを備え、底面部には、作業者が進入可能な貫通孔が形成されているので、天井の開口部から落下した埃などの異物は、側壁部、底面部または作業者に付着する。これにより、天井の開口部から落下した異物が床面に付着することを抑制することができる。
【図面の簡単な説明】
【０００８】
【図１】この発明の実施の形態１に係る天井作業用養生装置を示す側面図である。
【図２】図１の天井作業用養生装置を示す斜視図である。
【図３】図１の天井作業用養生装置を示す平面図である。
【発明を実施するための形態】
【０００９】
実施の形態１．
図１はこの発明の実施の形態１に係る天井作業用養生装置を示す側面図、図２は図１の天井作業用養生装置を示す斜視図、図３は図１の天井作業用養生装置を示す平面図である。図において、天井１には、開口部１１が形成されている。また、天井１には、開口部１１に挿入された空調室内機（作業対象部材）２が設置されている。空調室内機２は、建物に固定された一対のボルト３によって吊下げられている。
【００１０】
天井作業用養生装置は、ボルト３に吊下げられる一対の吊り部材４と、上部につり部材４が設けられた側壁部５と、側壁部５に設けられた底面部６とを有している。
【００１１】
それぞれの吊り部材４は、ボルト３と係合するフック部４１と、フック部４１と側壁部５とを連結するワイヤ部４２とを有している。
【００１２】
側壁部５は、開口部１１から下方に延びた領域７を囲むように形成されている。また、側壁部５は、内部に窒素（気体）が出し入れ可能な風船から構成されている。つまり、側壁部５は、内部に気体が出し入れされることによって高さ方向について伸縮する。
【００１３】
側壁部５は、内部に窒素が入れられることによって高さ方向に延びて、側壁部５の形状が円筒形状となる。また、側壁部５の内部に窒素が入れられることによって、側壁部５がシートから構成されている場合と比較して、側壁部５の剛性が強くなる。
【００１４】
側壁部５は、内部から窒素が出されることによって高さ方向について収縮する。また、側壁部５は、内部から窒素が出されることによって、側壁部５の内部に窒素が入れられている場合と比較して、側壁部５の剛性が弱くなる。これにより、側壁部５を容易に折り畳むことができる。
【００１５】
底面部６は、天井作業用養生装置が天井１に設けられる場合に、開口部１１に対向するようになっている。底面部６は、側壁部５の下端部に配置されている。底面部６は、天井作業用養生装置が天井１に設けられる場合に、側壁部５とともに開口部１１を下方から塞ぐ。
【００１６】
底面部６には、作業者が進入可能な貫通孔６１が形成されている。これにより、天井作業用養生装置が天井１に設けられた場合に、作業者は、貫通孔６１に下方から進入することによって、空調室内機２の分解作業を行うことができる。
【００１７】
次に、天井作業用養生装置を用いて空調室内機２の分解作業を行う手順について説明する。まず、作業者は、側壁部５の内部に窒素を入れて、側壁部５の形状を円筒形状とする。その後、作業者は、天井作業用養生装置を持ち上げて、フック部４１をボルト３に係合させる。これにより、天井作業用養生装置が天井１に取り付けられる。その後、作業者は、貫通孔６１に下方から進入して、空調室内機２の分解作業を行う。このとき、開口部１１から落下した埃などの異物は、側壁部５、底面部６または作業者に付着する。これにより、開口部１１から落下した異物が、床面に付着することが抑制される。
【００１８】
また、作業者が水を用いて空調室内機２を洗浄する際には、空調室内機２から飛び散った水は、側壁部５および底面部６によって室内に拡散することが防止される。これにより、洗浄に用いられた水が落下する領域がより狭くなるので、落下した水を除去する作業の効率を向上させることができる。
【００１９】
また、作業者は、空調室内機２の分解作業を行う際には、空調室内機２の分解作業に用いられる複数の工具を底面部６の上に載せておく。これにより、作業者は、空調室内機２の分解作業に用いられる工具を容易に持ち替えることができる。その結果、空調室内機２の分解作業の効率を向上させることができる。
【００２０】
以上説明したように、この発明の実施の形態１に係る天井作業用養生装置によれば、天井１に設けられ、開口部１１から下方に延びた領域７を囲む側壁部５と、開口部１１に対向するように側壁部５に設けられ、側壁部５とともに開口部１１を下方から塞ぐ底面部６とを備え、底面部６には、作業者が進入可能な貫通孔６１が形成されているので、天井１の開口部１１から落下した埃などの異物は、側壁部５、底面部６または作業者に付着する。これにより、天井１の開口部１１から落下した異物が床面に付着することを抑制することができる。また、空調室内機２の分解作業を行う際に作業者がビスなどの部材を誤って落下させた場合には、落下した部材が底面部６によって床面まで落下することが防止される。これにより、落下した部材を探すために必要な時間が短くなり、分解作業の効率化を図ることができる。
【００２１】
また、側壁部５は、内部に窒素が出し入れ可能な風船から構成されており、内部に気体が出し入れされることによって高さ方向について伸縮するので、側壁部５の内部から窒素を出すことによって側壁部５の高さ方向の寸法が小さくなり、天井作業用養生装置を容易に持ち運ぶことができ、また、側壁部５の内部に窒素を入れることによって、側壁部５が高さ方向に延びて、側壁部５の形状を円筒形状に容易にすることができる。
【００２２】
なお、上記実施の形態１では、側壁部５の形状が円筒形状である構成について説明したが、例えば、上方から側壁部５を視た場合に楕円形または多角形となるような筒形状など、開口部１１から下方に延びた領域７を囲む形状であればよい。
【００２３】
また、上記実施の形態１では、側壁部５に窒素が出し入れされる構成について説明したが、例えば、空気よりも軽い気体であるヘリウムが出し入れされる構成であってもよい。この場合、天井作業用養生装置に浮力が発生し、この浮力によって、天井作業用養生装置が天井１に設置される。この場合、天井作業用養生装置は、吊り部材４を備えなくてもよい。
【００２４】
また、上記実施の形態１では、作業対象部材として空調室内機２を例に説明したが、これに限らず、天井に設けられる作業対象部材であればよい。
【符号の説明】
【００２５】
１  天井、２  空調室内機（作業対象部材）、３  ボルト、４  吊り部材、５  側壁部、６  底面部、７  領域、１１  開口部、４１  フック部、４２  ワイヤ部、６１  貫通孔。
【図１】
2014118713.tif 000003
【図２】
2014118713.tif 000004
【図３】
2014118713.tif 000005